(57)【要約】【課題】タッチパネルを通してみたディスプレイの色が本来の色からずれていたときに補正後の色を視認しながら直感的に色補正を行う。【解決手段】タッチ式入力装置３９では、タッチパネルを通して見たときに見かけ上純赤色と認識されるように予め設定されたディスプレイ上の赤、緑、青の配分をベースにして赤の配分のみを段階的に変化させた複数の赤色表示セルＲＣ１〜ＲＣ５を並べた赤色セルブロックＲＢや、同様にして複数の緑色表示セルＧＣ１〜ＧＣ５を並べた緑色セルブロックＧＢ、複数の青色表示セルＢＣ１〜ＢＣ５を並べた青色セルブロックＢＢがディスプレイに表示される。そして、各セルブロックＲＢ，ＧＢ，ＢＢに含まれる各セルの位置とタッチパネルによって検出されたタッチ位置とに基づいて、見かけ上純赤色、純緑色、純青色となるときの赤、緑、青の配分を補正する。【選択図】図６
2008238593.tif 000002
【特許請求の範囲】
【請求項１】
印刷媒体に印刷を行う印刷手段と、
各種の情報を表示するディスプレイと、
該ディスプレイの表面に重ねられユーザのタッチ位置を検出するタッチパネルと、
前記タッチパネルを通して見たときに見かけ上所定の赤基準色と認識されるように予め設定された前記ディスプレイ上の赤、緑、青の配分をベースにして赤の配分のみを段階的に変化させた複数の赤色表示セルを並べた赤色セルブロック、前記タッチパネルを通して見たときに見かけ上所定の緑基準色と認識されるように予め設定された前記ディスプレイ上の赤、緑、青の配分をベースにして緑の配分のみを段階的に変化させた複数の緑色表示セルを並べた緑色セルブロック及び前記タッチパネルを通して見たときに見かけ上青基準色と認識されるように予め設定された前記ディスプレイ上の赤、緑、青の配分をベースにして青の配分のみを段階的に変化させた複数の青色表示セルを並べた青色セルブロックが表示されるよう前記ディスプレイを制御する表示制御手段と、
前記ディスプレイに表示された前記赤色セルブロック、前記緑色セルブロック及び前記青色セルブロックに含まれる各セルの位置と前記タッチパネルによって検出されたタッチ位置とに基づいて、見かけ上前記赤基準色となるときの赤、緑、青の配分、見かけ上緑基準色となるときの赤、緑、青の配分及び見かけ上青基準色となるときの赤、緑、青の配分を補正する三原色補正手段と、
見かけ上ではなく実際の赤基準色、緑基準色及び青基準色が前記三原色補正手段による補正を行う際の色見本として記録媒体に印刷されるよう前記印刷手段を制御する印刷制御手段と、
を備えた印刷装置。
【請求項２】
前記赤、緑、青の配分は所定の段階数に変化させることが可能であり、
前記表示制御手段は、前記赤色セルブロックに含まれる複数の赤色表示セルにつき、当初数段階おきに赤の配分が変化するように並べて表示し、そのうちの一つの赤色表示セルがユーザによってタッチされると１段階ずつ赤の配分が変化するように並べて表示し、前記緑色セルブロックに含まれる複数の緑色表示セルにつき、当初数段階おきに緑の配分が変化するように並べて表示し、そのうちの一つの緑色表示セルがユーザによってタッチされると１段階ずつ緑の配分が変化するように並べて表示し、前記青色セルブロックに含まれる複数の青色表示セルにつき、当初数段階おきに青の配分が変化するように並べて表示し、そのうちの一つの青色表示セルがユーザによってタッチされると１段階ずつ青の配分が変化するように並べて表示し、
前記三原色補正手段は、１段階ずつ色の配分が変化するように並べて表示された前記セルブロックに含まれる各セルの位置と前記タッチパネルによって検出されたタッチ位置とに基づいて補正する、
請求項１に記載の印刷装置。
【請求項３】
前記表示制御手段は、前記タッチパネルからのタッチ位置に基づいて前記赤色セルブロック、前記緑色セルブロック及び前記青色セルブロックのいずれかにつき色相変更の指示がなされたと判定されたとき、色相変更の指示がなされたセルブロックが前記赤色セルブロックのときには、赤の配分を固定して緑と青の配分を変化させた複数の赤色表示セルを持つように前記赤色セルブロックを変更し、色相変更の指示がなされたセルブロックが前記緑色セルブロックのときには、緑の配分を固定して赤と青の配分を変化させた複数の緑色表示セルを持つように前記緑色セルブロックを変更し、色相変更の指示がなされたセルブロックが前記青色セルブロックのときには、青の配分を固定して赤と緑の配分を変化させた複数の青色表示セルを持つように前記青色セルブロックを変更する、
請求項１又は２に記載の印刷装置。
【請求項４】
前記赤基準色は純赤色、前記緑基準色は純緑色、前記青基準色は純青色である、
請求項１〜３のいずれかに記載の印刷装置。
【請求項５】
印刷媒体に印刷を行う印刷手段と、各種の情報を表示するディスプレイと、該ディスプレイの表面に重ねられユーザのタッチ位置を検出するタッチパネルと、を備えた印刷装置のコンピュータ・ソフトウェアによる制御方法であって、
（ａ）前記タッチパネルを通して見たときに見かけ上所定の赤基準色と認識されるように予め設定された前記ディスプレイ上の赤、緑、青の配分をベースにして赤の配分のみを段階的に変化させた複数の赤色表示セルを並べた赤色セルブロック、前記タッチパネルを通して見たときに見かけ上所定の緑基準色と認識されるように予め設定された前記ディスプレイ上の赤、緑、青の配分をベースにして緑の配分のみを段階的に変化させた複数の緑色表示セルを並べた緑色セルブロック及び前記タッチパネルを通して見たときに見かけ上青基準色と認識されるように予め設定された前記ディスプレイ上の赤、緑、青の配分をベースにして青の配分のみを段階的に変化させた複数の青色表示セルを並べた青色セルブロックが表示されるよう前記ディスプレイを制御するステップと、
（ｂ）前記ディスプレイに表示された前記赤色セルブロック、前記緑色セルブロック及び前記青色セルブロックに含まれる各セルの位置と前記タッチパネルによって検出されたタッチ位置とに基づいて、見かけ上前記赤基準色となるときの赤、緑、青の配分、見かけ上緑基準色となるときの赤、緑、青の配分及び見かけ上青基準色となるときの赤、緑、青の配分を補正するステップと、
（ｃ）見かけ上ではなく実際の赤基準色、緑基準色及び青基準色が前記ステップ（ｂ）で補正を行う際の色見本として記録媒体に印刷されるよう前記印刷手段を制御するステップと、
を含む印刷装置の制御方法。
【発明の詳細な説明】
【技術分野】
【０００１】
本発明は、印刷装置及びその制御方法に関する。
【背景技術】
【０００２】
従来より、ディスプレイに表示される色とプリントアウトした色とがずれている場合に、そのずれを補正する方法が提案されている。例えば特許文献１には、次のような補正方法が提案されている。すなわち、カラーチャートをカラースコープで撮像し、その画像信号をカラープリンタで用紙に印刷出力すると共にカラーディスプレイに表示出力する。ユーザは、両出力結果を対比して例えば光の三原色であるＲＧＢのうちＲが弱いと判断した場合にはカラープリンタ・カラーモニタ色調整の画面を利用してＲが強くなるように色調整パラメータの数値を入力する。
【特許文献１】特開２００５−１３０２０２号公報
【発明の開示】
【発明が解決しようとする課題】
【０００３】
しかしながら、特許文献１では、カラーチャートをカラースコープで撮像する必要があるため、色調整の操作が煩雑になるという問題があった。また、色調整パラメータを数値入力によって変更するため、実際にその数値のときにどのような色になるのかを直感的に確かめることができないという問題があった。特に、ディスプレイの表面にタッチパネルが重ねられたタッチ式入力装置を備える印刷装置では、タッチパネルを通してディスプレイ上の色を見たときにやや黄色がかって見えることから、タッチパネルを備えていない場合に比べて色ずれが起きやすく、色調整の操作が必要になりやすい。したがって、補正後の色を視認しながら直感的にしかも簡単に色補正を行いたいという要望があった。
【０００４】
本発明は、このような課題を解決するためになされたものであり、タッチパネルを通してみたディスプレイの色が本来の色からずれていたときに補正後の色を視認しながら直感的にしかも簡単に色補正を行うことができる印刷装置及びその制御方法を提供することを目的とする。
【課題を解決するための手段】
【０００５】
本発明は、上述の目的を達成するために以下の手段を採った。
【０００６】
本発明の印刷装置は、
印刷媒体に印刷を行う印刷手段と、
各種の情報を表示するディスプレイと、
該ディスプレイの表面に重ねられユーザのタッチ位置を検出するタッチパネルと、
前記タッチパネルを通して見たときに見かけ上所定の赤基準色と認識されるように予め設定された前記ディスプレイ上の赤、緑、青の配分をベースにして赤の配分のみを段階的に変化させた複数の赤色表示セルを並べた赤色セルブロック、前記タッチパネルを通して見たときに見かけ上所定の緑基準色と認識されるように予め設定された前記ディスプレイ上の赤、緑、青の配分をベースにして緑の配分のみを段階的に変化させた複数の緑色表示セルを並べた緑色セルブロック及び前記タッチパネルを通して見たときに見かけ上青基準色と認識されるように予め設定された前記ディスプレイ上の赤、緑、青の配分をベースにして青の配分のみを段階的に変化させた複数の青色表示セルを並べた青色セルブロックが表示されるよう前記ディスプレイを制御する表示制御手段と、
前記ディスプレイに表示された前記赤色セルブロック、前記緑色セルブロック及び前記青色セルブロックに含まれる各セルの位置と前記タッチパネルによって検出されたタッチ位置とに基づいて、見かけ上前記赤基準色となるときの赤、緑、青の配分、見かけ上緑基準色となるときの赤、緑、青の配分及び見かけ上青基準色となるときの赤、緑、青の配分を補正する三原色補正手段と、
見かけ上ではなく実際の赤基準色、緑基準色及び青基準色が前記三原色補正手段による補正を行う際の色見本として記録媒体に印刷されるよう前記印刷手段を制御する印刷制御手段と、
を備えたものである。
【０００７】
この印刷装置では、タッチパネルを通して見たときに見かけ上赤基準色と認識されるように予め設定されたディスプレイ上の赤、緑、青の配分をベースにして赤の配分のみを段階的に変化させた複数の赤色表示セルを並べた赤色セルブロックや、同様にして複数の緑色表示セルを並べた緑色セルブロック、複数の青色表示セルを並べた青色セルブロックがディスプレイに表示される。ユーザは、印刷された色見本とタッチパネルを通してみたディスプレイの色とを比較して、色見本に最も近い色のセルにタッチする。すると、印刷装置は、各セルブロックに含まれる各セルの位置とタッチパネルによって検出されたタッチ位置とに基づいて、見かけ上、赤基準色、緑基準色、青基準色となるときの赤、緑、青の配分を補正する。こうすることにより、ユーザがセルにタッチするにあたり、各セルには色が表示されているため、どのセルを選択するとどんな色になるのか直感的に理解することができる。したがって、タッチパネルを通してみたディスプレイの色が本来の色からずれていたときに補正後の色を視認しながら直感的に色補正を行うことができる。また、ユーザは印刷された色見本とタッチパネルを通してみたディスプレイの色とを比較することにより、その色が本来の色からずれているか否かを容易に判断することができる。
【０００８】
本発明の印刷装置において、前記赤、緑、青の配分は所定の段階数に変化させることが可能であり、前記表示制御手段は、前記赤色セルブロックに含まれる複数の赤色表示セルにつき、当初数段階おきに赤の配分が変化するように並べて表示し、そのうちの一つの赤色表示セルがユーザによってタッチされると１段階ずつ赤の配分が変化するように並べて表示し、前記緑色セルブロックに含まれる複数の緑色表示セルにつき、当初数段階おきに緑の配分が変化するように並べて表示し、そのうちの一つの緑色表示セルがユーザによってタッチされると１段階ずつ緑の配分が変化するように並べて表示し、前記青色セルブロックに含まれる複数の青色表示セルにつき、当初数段階おきに青の配分が変化するように並べて表示し、そのうちの一つの青色表示セルがユーザによってタッチされると１段階ずつ青の配分が変化するように並べて表示し、前記三原色補正手段は、１段階ずつ色の配分が変化するように並べて表示された前記セルブロックに含まれる各セルの位置と前記タッチパネルによって検出されたタッチ位置とに基づいて補正してもよい。こうすれば、当初表示されるセルで大まかな色合わせをしたあと次に表示されるセルで詳細な色合わせを行うことができるため、当初から詳細な色合わせを行う場合に比べて短時間で色補正を行うことができる。
【０００９】
本発明の印刷装置において、前記表示制御手段は、前記タッチパネルからのタッチ位置に基づいて前記赤色セルブロック、前記緑色セルブロック及び前記青色セルブロックのいずれかにつき色相変更の指示がなされたと判定されたとき、色相変更の指示がなされたセルブロックが前記赤色セルブロックのときには、赤の配分を固定して緑と青の配分を変化させた複数の赤色表示セルを持つように前記赤色セルブロックを変更し、色相変更の指示がなされたセルブロックが前記緑色セルブロックのときには、緑の配分を固定して赤と青の配分を変化させた複数の緑色表示セルを持つように前記緑色セルブロックを変更し、色相変更の指示がなされたセルブロックが前記青色セルブロックのときには、青の配分を固定して赤と緑の配分を変化させた複数の青色表示セルを持つように前記青色セルブロックを変更してもよい。こうすれば、例えばタッチパネルを通して見た赤色が黄色がかっていたとしもユーザは色相変更を指示することにより黄色味を消して赤基準色に近づくように補正することができる。
【００１０】
本発明の印刷装置において、前記赤基準色は純赤色、前記緑基準色は純緑色、前記青基準色は純青色としてもよい。こうすれば、ユーザが色見本とタッチパネルを通してディスプレイに表示されている色とを比較するにあたり、中間色を比較する場合に比べて精度よく色合わせを行うことができる。なお、純赤色、純緑色、純青色とは、例えばＲＧＢデータの各値を８ビットで表す場合には、（２５５，０，０）、（０，２５５，０）、（０，０，２５５）で表される色をいう。
【００１１】
本発明の印刷装置の制御方法は、
（ａ）前記タッチパネルを通して見たときに見かけ上所定の赤基準色と認識されるように予め設定された前記ディスプレイ上の赤、緑、青の配分をベースにして赤の配分のみを段階的に変化させた複数の赤色表示セルを並べた赤色セルブロック、前記タッチパネルを通して見たときに見かけ上所定の緑基準色と認識されるように予め設定された前記ディスプレイ上の赤、緑、青の配分をベースにして緑の配分のみを段階的に変化させた複数の緑色表示セルを並べた緑色セルブロック及び前記タッチパネルを通して見たときに見かけ上青基準色と認識されるように予め設定された前記ディスプレイ上の赤、緑、青の配分をベースにして青の配分のみを段階的に変化させた複数の青色表示セルを並べた青色セルブロックが表示されるよう前記ディスプレイを制御するステップと、
（ｂ）前記ディスプレイに表示された前記赤色セルブロック、前記緑色セルブロック及び前記青色セルブロックに含まれる各セルの位置と前記タッチパネルによって検出されたタッチ位置とに基づいて、見かけ上前記赤基準色となるときの赤、緑、青の配分、見かけ上緑基準色となるときの赤、緑、青の配分及び見かけ上青基準色となるときの赤、緑、青の配分を補正するステップと、
（ｃ）見かけ上ではなく実際の赤基準色、緑基準色及び青基準色が前記ステップ（ｂ）で補正を行う際の色見本として記録媒体に印刷されるよう前記印刷手段を制御するステップと、
を含むものである。
【００１２】
この印刷装置の制御方法では、タッチパネルを通して見たときに見かけ上赤基準色と認識されるように予め設定されたディスプレイ上の赤、緑、青の配分をベースにして赤の配分のみを段階的に変化させた複数の赤色表示セルを並べた赤色セルブロックや、同様にして複数の緑色表示セルを並べた緑色セルブロック、複数の青色表示セルを並べた青色セルブロックがディスプレイに表示される。ユーザは、印刷された色見本とタッチパネルを通してみたディスプレイの色とを比較して、色見本に最も近い色のセルにタッチする。すると、印刷装置は、各セルブロックに含まれる各セルの位置とタッチパネルによって検出されたタッチ位置とに基づいて、見かけ上、赤基準色、緑基準色、青基準色となるときの赤、緑、青の配分を補正する。こうすることにより、ユーザがセルにタッチするにあたり、各セルには色が表示されているため、どのセルを選択するとどんな色になるのか直感的に理解することができる。したがって、タッチパネルを通してみたディスプレイの色が本来の色からずれていたときに補正後の色を視認しながら直感的に色補正を行うことができる。また、ユーザは印刷された色見本とタッチパネルを通してみたディスプレイの色とを比較することにより、その色が本来の色からずれているか否かを容易に判断することができる。なお、この印刷装置の制御方法において、上述したいずれかの印刷装置の機能を実現するようなステップを追加してもよい。
【発明を実施するための最良の形態】
【００１３】
次に、本発明の実施の形態を図面に基づいて説明する。図１は、本発明の画像処理装置の一実施形態であるフォトプリンタ１０の前面扉１４及びカバー３６を開けた状態の斜視図、図２は、フォトプリンタ１０の電気的構成の概略を示すブロック図、図３は、操作パネル１９を構成するタッチパネル４０の電気回路図である。
【００１４】
本実施形態のフォトプリンタ１０は、プリンタ本体１２の上面に設けられた操作パネル１９と、プリンタ本体１２の上面の奥の一辺に開閉自在に取り付けられ閉状態で操作パネル１９を覆うカバー３６と、プリンタ本体１２に内蔵された印刷機構５０（図２参照）と、プリンタ本体１２の前面を開閉可能な前面扉１４と、フォトプリンタ１０の全体の制御を司るコントローラ７０（図２参照，本発明の表示制御手段、三原色補正手段及び印刷制御手段に相当）とを備えている。
【００１５】
操作パネル１９は、押下するたびにオンオフが切り替わる押しボタン式の電源スイッチ３４と、ペン入力が可能なタッチ式入力装置３９とを備えている。タッチ式入力装置３９は、図３に示すように、文字や図形、記号などを表示するディスプレイ２０の表面に抵抗膜方式の透明なタッチパネル４０が重層されたものである。ディスプレイ２０は、各画素を格子状に均等に配列し、ＴＦＴ（薄膜トランジスタ）などのアクティブ素子を各画素に配置して駆動を行う周知のカラー液晶ディスプレイである。タッチパネル４０は、左右両側に電極４１ａ，４１ｂを有する第１導電膜４１と上下両側に電極４２ａ，４２ｂを有する第２導電膜４２とが図示しないドットスペーサを介して離間して配置されている。第１導電膜４１のうち、片方の電極４１ａは定電圧Ｖｓを印加するか否かを切替可能であり、もう片方の電極４１ｂはそのまま接地するか電圧計４３を介して接地するかを切替可能である。また、第２導電膜４２も、片方の電極４２ａは定電圧Ｖｓを印加するか否かを切替可能であり、もう片方の電極４２ｂはそのまま接地するか電圧計４３を介して接地するかを切替可能である。そして、ユーザがタッチパネル４０上にペン入力したとき、そのペン入力位置（タッチ位置）で両導電膜４１，４２は押圧されるため電気的に繋がる。すなわち、図示しないドットスペーサは所定間隔ごとに設けられているため、ドットスペーサが設けられていない部分で電気的に繋がる。ここで、ペン入力位置の検出について説明する。ペン入力位置を検出するにあたり、まず、第１導電膜４１につき、片方の電極４１ａに定電圧Ｖｓを印加すると共にもう片方の電極４１ｂをそのまま接地し、第２導電膜４２につき、片方の電極４２ａには定電圧Ｖｓを印加せずもう片方の電極４２ｂを電圧計４３を介して接地する（図３の実線参照）。このときの電圧計４３の電圧値はペン入力位置のＸ座標に依存して決まるため、その電圧値に基づいてペン入力位置のＸ座標を特定することができる。続いて、第１導電膜４１につき、片方の電極４１ａには定電圧Ｖｓを印加せずもう片方の電極４１ｂを電圧計４３を介して接地し、第２導電膜４２につき、片方の電極４２ａに定電圧Ｖｓを印加すると共にもう片方の電極４２ｂをそのまま接地する。このときの電圧計４３の電圧値はペン入力位置のＹ座標に依存して決まるため、その電圧値に基づいてペン入力位置のＹ座標を特定することができる。このタッチパネル４０は透明であるため、ユーザはディスプレイ２０に表示される内容をタッチパネル４０を介して視認可能である。
【００１６】
カバー３６は、プリンタ本体１２の上面を覆うことのできる大きさに成形された樹脂板であり、開状態では操作パネル１９の表面を外部に露出し（図１参照）、閉状態では操作パネル１９を覆う。このカバー３６は、ディスプレイ２０と同じ大きさの窓３８を備えており、カバー３６が閉状態のときにはユーザはこの窓３８を介してディスプレイ２０の表示内容を確認することができる。更に、カバー３６は、開状態のときに操作パネル１９に対して斜め後方に傾斜した状態で保持されるようになっている。このため、開状態のカバー３６の裏面は、用紙を印刷機構５０へ供給するためのトレイとして利用可能である。また、操作パネル１９の奥には、印刷機構５０の給紙口５８が設けられ、この給紙口５８には、ガイド幅が用紙の幅に合うように左右方向にスライド操作される一対の用紙ガイド５９，５９が設けられている。
【００１７】
印刷機構５０は、プリンタ本体１２の内部に配置されている。この印刷機構５０は、インクを用紙に向かって吐出する印刷ヘッド５４を搭載したキャリッジ５６を主走査方向（図２の左右方向）に往復動させながら、用紙を副走査方向（図２の前後方向）に搬送することにより印刷を実行する周知のインクジェット印刷機構である。ここでは、印刷ヘッド５４にインクを供給するインクカートリッジ５２をキャリッジ５６に搭載したオンキャリッジタイプを図示したが、インクカートリッジをキャリッジ５６以外の場所に配置したオフキャリッジタイプとしてもよい。また、印刷ヘッド５４は、圧電素子に電圧をかけることによりその圧電素子を変形させてインクを加圧する方式を採用してもよいし、発熱抵抗体（例えばヒータなど）に電圧をかけてインクを加熱して発生した気泡によりインクを加圧する方式を採用してもよい。
【００１８】
前面扉１４は、プリンタ本体１２の前面を開閉するための蓋であり、開状態のときには、プリンタ本体１２の前面から排紙される用紙を受けるための排紙トレイとして機能すると共に、プリンタ本体１２の前面に設けられた各種のメモリカードスロット１６をユーザが利用可能な状態となる。メモリカードスロット１６には、メモリカードＭが差し込まれている。このメモリカードＭには、複数のＪＰＥＧ画像ファイルが記憶されている。メモリカードスロット１６にメモリカードＭが差し込まれると、コントローラ７０はメモリカードＭに保存されているすべての写真画像に対して、撮影日時の古いものから昇順となるように写真番号（画像番号）を付与する。つまり、ユーザが印刷対象画像として選択設定可能なすべての写真画像に対して写真番号を付与する。
【００１９】
コントローラ７０は、図２に示すように、ＣＰＵ７１を中心とするマイクロプロセッサとして構成されており、各種処理プログラムや各種データなどを記憶したＲＯＭ７２と、一時的にデータを記憶するＲＡＭ７３とを備え、これらはバス７４を介して互いに信号のやり取りが可能なように接続されている。また、操作パネル１９や印刷機構５０、リーダライタ１８もバス７４に接続されている。コントローラ７０は、メモリカードスロット１６に挿入されたメモリカードＭの写真画像をリーダライタ１８を介して入力するほか、印刷機構５０の各部からの検出信号や操作パネル１９のタッチパネル４０からの指令信号などを入力する。また、コントローラ７０は、リーダライタ１８を介してメモリカードＭに編集画像を保存するほか、印刷機構５０の印刷ヘッド５４などへの制御信号や操作パネル１９のディスプレイ２０への制御信号などを出力する。
【００２０】
ここで、操作パネル１９のディスプレイ２０に表示されるカラーはＲＧＢデータによって表されるものとし、ＲＧＢの各色はそれぞれ８ビットで表されるものとする。このとき、ＲＧＢの値はそれぞれ０〜２５５のいずれかに決まる。ところで、操作パネル１９は、ディスプレイ２０にタッチパネル４０が重ねられているため、ユーザはタッチパネル４０を通してディスプレイ２０に表示される色を見ることになる。そして、タッチパネル４０を通してディスプレイ２０に表示される色を見ると、タッチパネル４０を通さない場合に比べて色が黄色がかって見える傾向にある。このため、タッチパネル４０がなければ、ユーザはディスプレイ２０のＲＧＢデータが（２５５，０，０）（以下、３次元座標を表すときには各値はそれぞれＲの値、Ｇの値、Ｂの値を示す）のときに純赤色であると視認し、（０，２５５，０）のときに純緑色であると視認し、（０，０，２５５）のときに純青色であると視認するのであるが、実際にはユーザはタッチパネル４０を通してディスプレイ２０に表示される色を見るため、ディスプレイ２０のＲＧＢデータが（Ｒ１，ｇ１，ｂ１）のときに見かけ上純赤色であると視認し、（ｒ２，Ｇ２，ｂ２）のときに見かけ上純緑色であると視認し、（ｒ３，ｇ３，Ｂ３）のときに見かけ上純青色であると視認する。このような事情を考慮して、フォトプリンタ１０は工場出荷時に予め色補正パラメータが設定されている。このようにして設定された色補正パラメータによってＲＧＢデータが補正されることにより、ユーザはタッチパネル４０を通してディスプレイ２０の色を見たときに違和感のない色として捉えることができる。
【００２１】
次に、こうして構成された本実施形態のフォトプリンタ１０の動作のうち、特に操作パネル１９の色補正を行う場合について説明する。上述したように、ユーザはタッチパネル４０を通してディスプレイ２０に表示される色を見ることになるが、タッチパネル４０の経年劣化などにより工場出荷時の色補正パラメータをそのまま使い続けていたのでは違和感のある色になることがある。このため、フォトプリンタ１０では、図示しないメインメニュー画面から色補正パラメータの変更を選択することができるようになっている。
【００２２】
コントローラ７０のＣＰＵ７１は、色補正パラメータの変更がユーザによって選択されると、色補正パラメータ更新ルーチンのプログラムをＲＯＭ７２から読み出して実行する。図４は色補正パラメータ更新ルーチンのフローチャートである。このルーチンが開始されると、ＣＰＵ７１は、まず、「色見本を印刷します。用紙をセットして下さい。」というメッセージ画面３９１をタッチ式入力装置３９に表示する（ステップＳ１０２）。このときの様子を図５（ａ）に示す。メッセージ画面３９１には、上述したメッセージに加えて印刷実行ボタンやキャンセルボタンも表示される。続いて、印刷実行ボタンがタッチされたか否かを判定し（ステップＳ１０４）、印刷実行ボタンがタッチされていないときにはキャンセルボタンがタッチされたか否かを判定する（ステップＳ１０６）。そして、印刷実行ボタンもキャンセルボタンもタッチされていないときには、再びステップＳ１０４に戻る。一方、ステップＳ１０６でキャンセルボタンがタッチされたときには、そのまま本ルーチンを終了し、ステップＳ１０４で印刷実行ボタンがタッチされたときには、予めＲＯＭ７２に記憶されている純赤色、純緑色、純青色の色見本用印刷データが用紙に印刷されるよう印刷機構５０を制御する（ステップＳ１０８）。このときの印刷結果つまり色見本を図５（ｂ）に示す。色見本は、純赤色、純緑色、純青色の三原色がそれぞれ長方形の領域にベタで印刷されたものである。
【００２３】
続いて、ＣＰＵ７１はタッチ式入力装置３９に色合わせ画面３９２を表示する（ステップＳ１１０）。図６は、工場出荷後初めて表示される色合わせ画面３９２の一例を示す説明図である。図６に示すように、色合わせ画面３９２には、５つの赤色表示セルＲＣ１〜ＲＣ５を上下方向に並べた赤色セルブロックＲＢと、５つの緑色表示セルＧＣ１〜ＧＣ５を上下方向に並べた緑色セルブロックＧＢと、５つの青色表示セルＢＣ１〜ＢＣ５を上下方向に並べた青色セルブロックＢＢとが表示されている。赤色セルブロックＲＢのうち、中央の赤色表示セルＲＣ３は、工場出荷時に見かけ上純赤色となるＲＧＢデータつまり（Ｒ１，ｇ１，ｂ１）の色が表示されている。そして、緑の値ｇ１と青の値ｂ１をそのままにして、中央の赤色表示セルＲＣ３から上方向に進むにしたがって赤の配分が強くなるように赤色表示セルＲＣ２，ＲＣ１のＲＧＢデータが設定され、下方向に進むにしたがって赤の配分が弱くなるように赤色表示セルＲＣ４，ＲＣ５のＲＧＢデータが設定されている。つまり、赤色セルブロックＲＢは、（Ｒ１，ｇ１，ｂ１）をベースにして赤の配分のみを段階的に変化させた５つの赤色表示セルＲＣ１〜ＲＣ５を並べたものである。緑色セルブロックＧＢのうち、中央の緑色表示セルＧＣ３は、工場出荷時に見かけ上純緑色となるＲＧＢデータつまり（ｒ２，Ｇ２，ｂ２）の色が表示されている。そして、このときの赤の値ｒ２と青の値ｂ２をそのままにして、中央の緑色表示セルＧＣ３から上方向に進むにしたがって緑の配分が強くなるように緑色表示セルＧＣ２，ＧＣ１のＲＧＢデータが設定され、下方向に進むにしたがって緑の配分が弱くなるように緑色表示セルＧＣ４，ＧＣ５のＲＧＢデータが設定されている。つまり、緑色セルブロックＧＢは、（ｒ２，Ｇ２，ｂ２）をベースにして緑の配分のみを段階的に変化させた５つの緑色表示セルＧＣ１〜ＧＣ５を並べたものである。また、青色セルブロックＢＢのうち、中央の青色表示セルＢＣ３は、工場出荷時に見かけ上純青色となるＲＧＢデータつまり（ｒ３，ｇ３，Ｂ３）の色が表示されている。そして、このときの赤の値ｒ３と緑の値ｇ３をそのままにして、中央の青色表示セルＢＣ３から上方向に進むにしたがって青の配分が強くなるように青色表示セルＢＣ２，ＢＣ１のＲＧＢデータが設定され、下方向に進むにしたがって青の配分が弱くなるように青色表示セルＢＣ４，ＢＣ５のＲＧＢデータが設定されている。つまり、青色セルブロックＢＢは、（ｒ３，ｇ３，Ｂ３）をベースにして青の配分のみを段階的に変化させた５つの青色表示セルＢＣ１〜ＢＣ５を並べたものである。本実施形態では、図６に示すように、隣り合う赤色表示セル同士の赤の値、隣り合う緑色表示セル同士の緑色の値、隣り合う青色表示セル同士の青の値はいずれも１０段階おきとなるように設定されている。
【００２４】
また、色合わせ画面３９２の赤色セルブロックＲＢの上下には、それぞれ上矢印ボタン及び下矢印ボタンが表示されている。図７は、タッチされる矢印ボタンと更新される赤色セルブロックＲＢとの関係を表す説明図である。赤色セルブロックＲＢが図７（ａ）のように表示されている状態で上矢印ボタンがタッチされると、図７（ｂ）のように赤色セルブロックＲＢの内容が更新される。すなわち、それまで赤色セルブロックＲＢの一番上の赤色表示セルＲＣ１に表示されていた色が一番下の赤色表示セルＲＣ５に移動し、そこから上方向に進むにしたがって緑と青の値はそのままで赤色の配分が段階的に強くなるように赤色表示セルＲＣ２〜ＲＣ５に色が表示される。一方、赤色セルブロックＲＢが図７（ａ）のように表示されている状態で下矢印ボタンがタッチされると、図７（ｃ）のように赤色セルブロックＲＢの内容が更新される。すなわち、それまで赤色セルブロックＲＢの一番下の赤色表示セルＲＣ５に表示されていた色が一番上の赤色表示セルＲＣ１に移動し、そこから下方向に進むにしたがって緑と青の値はそのままで赤色の配分が段階的に弱くなるように赤色表示セルＲＣ２〜ＲＣ５に色が表示される。また、赤色セルブロックＲＢの左右には、それぞれ左矢印ボタン及び右矢印ボタンが表示されている。そして、赤色セルブロックＲＢが図７（ａ）のように表示されている状態で左矢印ボタンがタッチされると、図７（ｄ）のように赤色セルブロックＲＢの内容が更新される。すなわち、それまでの赤色表示セルＲＣ１〜ＲＣ５のそれぞれの赤の値はそのままで緑色と青色の配分をｇ１，ｂ１からｇ１’，ｂ１’に変える。その結果、全体として黄色味が減った赤色が更新後の赤色表示セルＲＣ１〜ＲＣ５に表示される。一方、赤色セルブロックＲＢが図７（ａ）のように表示されている状態で右矢印ボタンがタッチされると、図７（ｅ）のように赤色セルブロックＲＢの内容が更新される。すなわち、それまでの赤色表示セルＲＣ１〜ＲＣ５のそれぞれの赤の値はそのままで緑色と青色の配分をｇ１，ｂ１からｇ１”，ｂ１”に変える。その結果、全体として黄色味が増した赤色更新後の赤色表示セルＲＣ１〜ＲＣ５に表示される。このように左右の矢印ボタンにタッチすると色相が変わる。なお、緑色セルブロックＧＢや青色セルブロックＢＢについても、赤色セルブロックＲＢと同様に上下左右の矢印ボタンが表示され、各矢印ボタンが表示されると同様にして表示内容が更新される。
【００２５】
さて、図４のフローチャートに戻り、ステップＳ１１０で図６の色合わせ画面３９２を表示したあと、いずれかのセルブロックＲＢ，ＧＢ，ＢＢの上下左右の矢印ボタンの位置とタッチパネル４０によって検出されたタッチ位置とが一致したか否かを判定し（ステップＳ１１２）、いずれかの矢印ボタンの位置とタッチ位置とが一致したときにはその矢印ボタンに対応してセルブロックの表示内容を更新する（ステップＳ１１４）。例えば、赤色セルブロックＲＢについていえば、赤色表示セルＲＣ１〜ＲＣ５に５種類の赤色（タッチパネル４０を通して見た見かけ上の赤色）が表示されているが、ユーザはこれらの赤色と色見本の純赤色とを見比べ、色見本の純赤色と近いと思える色が赤色表示セルＲＣ１〜ＲＣ５に存在しないときには、赤色セルブロックＲＢの上下左右のいずれかの矢印ボタンにタッチする。その結果、赤色セルブロックＲＢの表示内容は更新される。どのように表示内容を更新するかについては、図７に基づいて既に説明したとおりである。
【００２６】
そして、ステップＳ１１４のあと又はステップＳ１１２でいずれの矢印ボタンの位置もタッチ位置と一致しなかったとき（タッチパネル４０にタッチされなかったときも含む）には、いずれかのセルブロックＲＢ、ＧＢ、ＢＢに含まれるセルの位置とタッチ位置とが一致したか否かを判定し（ステップＳ１１６）、一致しなかったとき（タッチパネル４０にタッチされなかったときも含む）には、再びステップＳ１１２に戻る。一方、ステップＳ１１６でいずれかのセルブロックＲＢ、ＧＢ、ＢＢに含まれるいずれかのセルの位置とタッチ位置とが一致したときには、そのセルを細分化することが可能か否かを判定し（ステップＳ１１８）、タッチされたセルが細分化可能なときには、タッチされたセルブロックに含まれるセルを細分化して表示し（ステップＳ１２０）、再びステップＳ１１２に戻る。一方、タッチされたセルが細分化不可能なときには、タッチされたセルのＲＧＢデータを見かけ上の純色であるとして確定し（ステップＳ１２２）、色合わせ画面３９２上の終了ボタンがタッチされたか否かを判定する（ステップＳ１２４）。
【００２７】
例えば、赤色セルブロックＲＢについていえば、赤色表示セルＲＣ１〜ＲＣ５に５種類の赤色が表示されているが、ユーザはこれらの赤色と色見本の純赤色とを見比べ、色見本の純赤色と近いと思える色が赤色表示セルＲＣ１〜ＲＣ５に存在したときには、該当する赤色表示セルＲＣ１〜ＲＣ５にタッチする。図８は、赤色セルブロックＲＢの変化の様子を表す説明図である。本実施形態では、当初の色合わせ画面３９２では、赤色セルブロックＲＢに含まれる５つの赤色表示セルＲＣ１〜ＲＣ５は赤色の配分が１０間隔ずつ異なるように設定されているが（図６及び図８（ａ）参照）、そのうちの一つの赤色表示セル、例えば赤色表示セルＲＣ２がタッチされると、タッチされた赤色表示セルＲＣ２に表示されていた色を中央の赤色表示セルＲＣ３に移動すると共に上下の赤色表示セル同士の赤の値が１段階おきになるように赤色セルブロックＲＢを更新する（図８（ｂ）参照）。この結果、赤色セルブロックＲＢには、１段階ずつ赤の配分が変化するように赤色表示セルＲＣ１〜ＲＣ５が並んだ状態となる。そして、更にそのうちの一つの赤色表示セル、例えば赤色表示セルＲＣ１がタッチされると、タッチされた赤色表示セルＲＣ１はそれ以上細分化できないため、その赤色表示セルＲＣ１に表示されていた色を見かけ上の純赤色として確定し、赤色セルブロックＲＢの範囲全体をその色で表示する（図８（ｃ）参照）。なお、緑色セルブロックＧＢに含まれる緑色表示セルＧＣ１〜ＧＣ５や青色セルブロックＢＢに含まれる青色表示セルＢＣ１〜ＢＣ５についても、同様にして細分化されたり見かけ上の純緑色や純青色が確定されたりする。
【００２８】
そして、ステップＳ１２４で終了ボタンがタッチされていないときには再びステップＳ１２４に戻り、終了ボタンがタッチされたときには確定した見かけ上の純色に基づいて色補正パラメータを更新し（ステップＳ１２６）、本ルーチンを終了する。
【００２９】
以上詳述した本実施形態のフォトプリンタ１０によれば、ユーザが赤色表示セルＲＣ１〜ＲＣ５、緑色表示セルＧＣ１〜ＧＣ５、青色表示セルＢＣ１〜ＢＣ５のいずれかのセルにタッチするにあたり、各セルには色が表示されているため、どのセルを選択するとどんな色になるのか直感的に理解することができる。したがって、タッチパネル４０を通してみたディスプレイ２０の色が本来の色からずれていたときに補正後の色を視認しながら直感的に色補正を行うことができる。
【００３０】
また、ユーザはフォトプリンタ１０によって印刷された色見本とタッチパネル４０を通してみたディスプレイ２０の色とを比較することにより、その色が本来の色からずれているか否かを容易に判断することができる。
【００３１】
更に、赤色セルブロックＲＢに含まれる５つの赤色表示セルＲＣ１〜ＲＣ５につき、当初１０段階おきに赤の配分が変化するように並べて表示し、そのうちの一つの赤色表示セルがユーザによってタッチされると１段階ずつ赤の配分が変化するように並べて表示するようにし、緑色セルブロックＧＢや青色セルブロックＢＢも同様に表示するようにしたため、当初のセルで大まかな色合わせをしたあと詳細な色合わせを行うことができる。したがって、当初から詳細な色合わせを行う場合に比べて短時間で色補正を行うことができる。
【００３２】
更にまた、例えばタッチパネル４０を通して見た赤色が黄色味がかっていたり黄色みが不足していたりしたとしも、ユーザは赤色セルブロックＲＢの左右に表示された左矢印ボタン又は右矢印ボタンにタッチすることにより、赤色の黄色味の強弱を変更するつまり赤色の色相を変更することができるため、より純赤色に近づくように補正することができる。
【００３３】
なお、本発明は上述した実施形態に何ら限定されることはなく、本発明の技術的範囲に属する限り種々の態様で実施し得ることはいうまでもない。
【００３４】
例えば、上述した実施形態では、各色セルブロックＲＢ，ＧＢ，ＢＢの左右に色相を変更するための左向きボタン及び右向きボタンを設けたが、これらのボタンを省略してもよい。この場合、上述した実施形態に比べると純色に近づける精度が落ちることになるが、簡易な補正を安価に行うことが要求される場合などには十分といえる。
【００３５】
上述した実施形態では、タッチパネル４０として抵抗膜方式を採用したが、赤外線方式やアナログ容量結合方式、超音波方式などの他の方式を採用してもよい。いずれの場合でも、上述した実施形態と同様の効果が得られる。
【００３６】
上述した実施形態では、赤色セルブロックＲＢに含まれる５つの赤色表示セルＲＣ１〜ＲＣ５につき、当初１０段階おきに赤の配分が変化するように並べて表示し、そのうちの一つの赤色表示セルがユーザによってタッチされると１段階ずつ赤の配分が変化するように並べて表示するようにしたが、当初から１段階ずつ赤の配分が変化するように並べて表示してもよい。あるいは、当初１０段階おきに赤の配分が変化するように並べ、次に５段階おき、その次に１段階おきというようにしてもよい。
【００３７】
上述した実施形態では、純赤色を赤基準色、純緑色を緑基準色、純青色を青基準色として説明したが、赤を主体として若干緑や青を含む色を赤基準色、緑を主体として若干赤や青を含む色を緑基準色、青を主体として若干赤や緑を含む色を青基準色としてもよい。
【００３８】
上述した実施形態では、画像処理装置としてインクジェット方式のフォトプリンタ１０を例示したが、インクジェット方式の印刷機構のほかにスキャナなどを備えたマルチファンクションプリンタやＦａｘなどに本発明を適用してもよいし、印刷機構５０を有さないタッチ式入力装置に本発明を適用してもよい。
【図面の簡単な説明】
【００３９】
【図１】フォトプリンタの前面扉及びカバーを開けた状態の斜視図。
【図２】フォトプリンタの電気的構成の概略を示すブロック図。
【図３】操作パネルを構成するタッチパネルの電気回路図。
【図４】色補正パラメータ更新ルーチンのフローチャート。
【図５】色見本を印刷するときのメッセージ画面及び印刷した色見本の説明図。
【図６】工場出荷後初めて表示される色合わせ画面の一例を示す説明図。
【図７】矢印ボタンと赤色セルブロックとの関係を表す説明図。
【図８】赤色セルブロックの変化の様子を表す説明図。
【符号の説明】
【００４０】
１０  フォトプリンタ、１２  プリンタ本体、１４  前面扉、１６  メモリカードスロット、１８  リーダライタ、１９  操作パネル、２０  ディスプレイ、３４  電源スイッチ、３６  カバー、３８  窓、３９  タッチ式入力装置、４０  タッチパネル、４１  第１導電膜、４１ａ，４１ｂ  電極、４２  第２導電膜、４２ａ，４２ｂ  電極、４３  電圧計、５０  印刷機構、５２  インクカートリッジ、５４  印刷ヘッド、５６  キャリッジ、５８  給紙口、５９  用紙ガイド、７０  コントローラ、７１  ＣＰＵ、７２  ＲＯＭ、７３  ＲＡＭ、７４  バス、３９１  メッセージ画面、３９２  色合わせ画面、ＲＢ  赤色セルブロック、ＧＢ  緑色セルブロック、ＢＢ  青色セルブロック、ＲＣ１〜ＲＣ５  赤色表示セル、ＧＣ１〜ＧＣ５  緑色表示セル、ＢＣ１〜ＢＣ５  青色表示セル、Ｍ  メモリカード。
【図１】
2008238593.tif 000003
【図２】
2008238593.tif 000004
【図３】
2008238593.tif 000005
【図４】
2008238593.tif 000006
【図５】
2008238593.tif 000007
【図６】
2008238593.tif 000008
【図７】
2008238593.tif 000009
【図８】
2008238593.tif 000010